(57)【特許請求の範囲】
【請求項１】
無線通信のための方法であって、
ＬＴＥ ｅノードＢまたは使用可能なシステムのうちの少なくとも１つから、複数の回路切換フォールバック（ＣＳＦＢ）パラメータのうちの少なくとも１つを取得すること、ここで、前記複数のＣＳＦＢパラメータは、チャネル・リスト、システム時間、および近隣リストを備える、と；
どのＣＳＦＢパラメータが取得され、１ｘシステムを獲得するために使用可能であるかを判定することと；
行列を使用して、フル・システム獲得処理または包括的なシステム獲得処理を実行するかどうかを判定すること、ここで、前記行列は、ＣＳＦＢパラメータの使用可能性に拠って、前記フル・システム獲得処理または包括的なシステム獲得処理のいずれをとり得るかを示す、と；
を備える方法。
【請求項２】
前記複数のＣＳＦＢパラメータの少なくとも１つは、前記使用可能なシステムから取得され、
前記使用可能なシステムは、最近の良好なシステム（ＲＧＳ：recently good system）、好適なシステム（ＰＳ：preferred system）、またはホーム・システムのうちの少なくとも１つを備える、請求項１に記載の方法。
【請求項３】
前記取得することはさらに、
前記使用可能なシステムから、前記複数のＣＳＦＢパラメータのうちの少なくとも１つを取得すること、ここで、使用可能なシステム・パラメータは、帯域クラスおよびチャネル値、システム時間値、アクティブ・セット、および近隣セットを含む、と；
前記使用可能なシステム・パラメータを、関連付けられたタイムスタンプ値とともに格納することと；
前記タイムスタンプ値が時間しきい値未満である場合、前記使用可能なシステム・パラメータが使用可能であると判定することと；を備える請求項１に記載の方法。
【請求項４】
前記使用可能なシステム・パラメータを、使用可能な状態に維持すること、をさらに備える請求項３に記載の方法。
【請求項５】
前記取得することは、前記チャネル・リストを取得することを備え、
前記フル・システム獲得処理または前記包括的なシステム獲得処理を実行することは、パイロット信号を探索するために、前記チャネル・リストに提供された１または複数のチャネルへ調節することによって、プレ・ハッシュ処理を実行することを含む、請求項１に記載の方法。
【請求項６】
前記取得することは、前記システム時間および前記近隣リストを取得することを備え、
前記方法はさらに、
前記プレ・ハッシュ処理の結果、使用可能なパイロットにならなかったと判定することと、
前記チャネル・リスト内の一次チャネルへ調節することと、
前記システム時間および前記近隣リストを用いて、前記一次チャネルのためのパイロット探索およびスキャン処理を実行することと、を備える請求項５に記載の方法。
【請求項７】
前記パイロット探索およびスキャン処理はさらに、
前記近隣リストにパイロット・オフセット・インクリメント値が含まれていると判定することと、
パイロットを求めて、前記パイロット・オフセット・インクリメント値を用いて、リマインダ・セットを探索することと、を備える請求項６に記載の方法。
【請求項８】
前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていることを判定するか、または、各チャネルについて、受信した自動利得制御値が、電力しきいを超えていないことを判定することの何れかを行うことと、
好適ローミング・リスト（ＰＲＬ：preferred roaming list）を用いて、システム獲得を実行することと、をさらに備える請求項５に記載の方法。
【請求項９】
少なくとも１つのＰＲＬ値を、サービス提供しているｅノードＢへ送信することをさらに備え、
前記サービス提供しているｅノードＢは、前記使用可能なシステム・パラメータを、前記ＰＲＬ値を用いて更新するために、前記少なくとも１つの、送信されたＰＲＬ値を用いる、請求項８に記載の方法。
【請求項１０】
無線通信のための装置であって、
ＬＴＥ ｅノードＢまたは使用可能なシステムのうちの少なくとも１つから、複数の回路切換フォールバック（ＣＳＦＢ）パラメータのうちの少なくとも１つを取得する手段、ここで、前記複数のＣＳＦＢパラメータは、チャネル・リスト、システム時間、および近隣リストを備える、と；
どのＣＳＦＢパラメータが取得され、１ｘシステムを獲得するために使用可能であるかを判定する手段と；
行列を使用して、フル・システム獲得処理または包括的なシステム獲得処理を実行するかどうかを判定する手段、ここで、前記行列は、ＣＳＦＢパラメータの使用可能性に拠って、前記フル・システム獲得処理または包括的システム獲得処理のいずれをとり得るかを示す、と；
を備える装置。
【請求項１１】
前記使用可能なシステムは、最近の良好なシステム（ＲＧＳ：recently good system）、好適なシステム（ＰＳ：preferred system）、またはホーム・システムのうちの少なくとも１つを備える、請求項１０に記載の装置。
【請求項１２】
前記取得する手段はさらに、
前記使用可能なシステムから、前記複数のＣＳＦＢパラメータのうちの少なくとも１つを取得する手段、ここで、使用可能なシステム・パラメータは、帯域クラスおよびチャネル値、システム時間値、アクティブ・セット、および近隣セットを含む、と；
前記使用可能なシステム・パラメータを、関連付けられたタイムスタンプ値とともに格納する手段と；
前記タイムスタンプ値が時間しきい値未満である場合、前記使用可能なシステム・パラメータが使用可能であると判定する手段と；を備える請求項１０に記載の装置。
【請求項１３】
前記複数のＣＳＦＢパラメータの少なくとも１つは、前記使用可能なシステムから取得され、
前記使用可能なシステムは、最近の良好なシステム（ＲＧＳ：recently good system）、好適なシステム（ＰＳ：preferred system）、またはホーム・システムのうちの少なくとも１つを備える、請求項１２に記載の装置。
【請求項１４】
前記取得する手段は、前記チャネル・リストを取得し、
前記フル・システム獲得処理または前記包括的なシステム獲得処理を実行する手段は、パイロット信号を探索するために、前記チャネル・リストに提供された１または複数のチャネルへ調節することによって、プレ・ハッシュ処理を実行する、請求項１０に記載の装置。
【請求項１５】
前記取得する手段は、前記システム時間および前記近隣リストを取得する手段を備え、
前記装置はさらに、
前記プレ・ハッシュ処理の結果、使用可能なパイロットにならなかったと判定する手段と、
前記チャネル・リスト内の一次チャネルへ調節する手段と、
前記システム時間および前記近隣リストを用いて、前記一次チャネルのためのパイロット探索およびスキャン処理を実行する手段とを備える、請求項１４に記載の装置。
【請求項１６】
前記パイロット探索およびスキャン処理はさらに、
パイロット・オフセット・インクリメント値が前記近隣リストに含まれていると判定する手段と、
パイロットを求めて、前記パイロット・オフセット・インクリメント値を用いて、リマインダ・セットを探索する手段と、を備える、請求項１５に記載の装置。
【請求項１７】
前記プレ・ハッシュ処理の結果、使用可能なパイロットにならなかったと判定する手段と、
前記チャネル・リスト内の一次チャネルへ調節する手段と、
受信した自動利得制御値が、前記一次チャネルの電力しきいを超えていると判定する手段、または、各チャネルについて、受信した自動利得制御値が、電力しきいを超えていないと判定する手段のうちの何れかと、
好適ローミング・リスト（ＰＲＬ：preferred roaming list）を用いて、システム獲得を実行する手段と、をさらに備える請求項１４に記載の装置。
【請求項１８】
少なくとも１つのＰＲＬ値を、サービス提供しているｅノードＢへ送信する手段をさらに備え、
前記サービス提供しているｅノードＢは、前記使用可能なシステム・パラメータを、前記ＰＲＬ値を用いて更新するために、前記少なくとも１つの、送信されたＰＲＬ値を用いる、請求項１７に記載の装置。
【請求項１９】
ＬＴＥ ｅノードＢまたは使用可能なシステムのうちの少なくとも１つから、複数の回路切換フォールバック（ＣＳＦＢ）パラメータのうちの少なくとも１つを取得すること、ここで、前記複数のＣＳＦＢパラメータは、チャネル・リスト、システム時間、および近隣リストを備える、と；
どのＣＳＦＢパラメータが取得され、１ｘシステムを獲得するために使用可能であるかを判定することと；
行列を使用して、フル・システム獲得処理または包括的なシステム獲得処理を実行するかどうかを判定すること、ここで、前記行列は、ＣＳＦＢパラメータの使用可能性に拠って、前記フル・システム獲得処理または包括的なシステム獲得処理のいずれをとり得るかかを示す、と；
のためのコードを備える、コンピュータ読取可能な記憶媒体。
【請求項２０】
前記複数のＣＳＦＢパラメータの少なくとも１つは、前記利用可能なシステムから取得され、
前記使用可能なシステムは、最近の良好なシステム（ＲＧＳ：recently good system）、好適なシステム（ＰＳ：preferred system）、またはホーム・システムのうちの少なくとも１つを備える、請求項１９に記載のコンピュータ読取可能な記憶媒体。
【請求項２１】
前記使用可能なシステムから、前記複数のＣＳＦＢパラメータのうちの少なくとも１つを取得すること、ここで、使用可能なシステム・パラメータは、帯域クラスおよびチャネル値、システム時間値、アクティブ・セット、および近隣セットを含む、と；
前記使用可能なシステム・パラメータを、関連付けられたタイムスタンプ値とともに格納することと；前記タイムスタンプ値が時間しきい値未満である場合、前記使用可能なシステム・パラメータが使用可能であると判定することと；のためのコードをさらに備える、請求項１９に記載のコンピュータ読取可能な記憶媒体。
【請求項２２】
前記チャネル・リストを取得することと、
パイロット信号を探索するために、前記チャネル・リストに提供された１または複数のチャネルへ調節することによって、プレ・ハッシュ処理を実行することと、のためのコードをさらに備える、請求項１９に記載のコンピュータ読取可能な記憶媒体。
【請求項２３】
前記複数のＣＳＦＢパラメータのうちの少なくとも１つを取得するためのコードは、前記システム時間および前記近隣リストを取得するためのコードを備え、
前記プレ・ハッシュ処理の結果、使用可能なパイロットにならなかったと判定することと、
前記チャネル・リスト内の一次チャネルへ調節することと、
前記システム時間および前記近隣リストを用いて、前記一次チャネルのためのパイロット探索およびスキャン処理を実行することと、のためのコードをさらに備える、請求項２２に記載のコンピュータ読取可能な記憶媒体。
【請求項２４】
前記近隣リストにパイロット・オフセット・インクリメント値が含まれていると判定することと、
パイロットを求めて、前記パイロット・オフセット・インクリメント値を用いて、リマインダ・セットを探索することと、のためのコードをさらに備える、請求項２３に記載のコンピュータ読取可能な記憶媒体。
【請求項２５】
前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていると判定すること、または、各チャネルについて、受信した自動利得制御値が、電力しきいを超えていないと判定することのうちの何れかを行うことと、
好適ローミング・リスト（ＰＲＬ：preferred roaming list）を用いて、システム獲得を実行することと、のためのコードをさらに備える、請求項２２に記載のコンピュータ読取可能な記憶媒体。
【請求項２６】
さらに、少なくとも１つのＰＲＬ値を、サービス提供しているｅノードＢへ送信するためのコードを備え、
前記サービス提供しているｅノードＢは、前記使用可能なシステム・パラメータを、前記ＰＲＬ値を用いて更新するために、前記少なくとも１つの、送信されたＰＲＬ値を用いる、請求項２５に記載のコンピュータ読取可能な記憶媒体。
【請求項２７】
無線通信のための装置であって、
ＬＴＥ ｅノードＢまたは使用可能なシステムのうちの少なくとも１つから、複数の回路切換フォールバック（ＣＳＦＢ）パラメータのうちの少なくとも１つを取得すること、ここで、前記複数のＣＳＦＢパラメータは、チャネル・リスト、システム時間、および近隣リストを備える、と；
どのＣＳＦＢパラメータが取得され、１ｘシステムを獲得するために利用可能であるかを判定することと；
行列を使用して、フル・システム獲得処理または包括的なシステム獲得処理を実行するかどうかを判定すること、ここで、前記行列は、ＣＳＦＢパラメータの使用可能性に拠って、前記フル・システム獲得処理または包括的なシステム獲得処理のいずれをとり得るかを示す、と；
のために構成された処理システムを備える、装置。
【請求項２８】
前記複数のＣＳＦＢパラメータの少なくとも１つは、前記使用可能なシステムから取得され、
前記使用可能なシステムは、最近の良好なシステム（ＲＧＳ：recently good system）、好適なシステム（ＰＳ：preferred system）、またはホーム・システムのうちの少なくとも１つを備える、請求項２７に記載の装置。
【請求項２９】
前記処理システムはさらに、
前記使用可能なシステムから、前記複数のＣＳＦＢパラメータのうちの少なくとも１つを取得すること、ここで、前記使用可能なシステム・パラメータは、帯域クラスおよびチャネル値、システム時間値、アクティブ・セット、および近隣セットを含む、と；
前記使用可能なシステム・パラメータを、関連付けられたタイムスタンプ値とともに格納することと；
前記タイムスタンプ値が時間しきい値未満である場合、前記使用可能なシステム・パラメータが使用可能であると判定することと；のために構成された、請求項２７に記載の装置。
【請求項３０】
前記処理システムはさらに、前記使用可能なシステム・パラメータを、使用可能な状態に維持するように構成された、請求項２９に記載の装置。
【請求項３１】
前記処理システムはさらに、
前記チャネル・リストを取得することと、
パイロット信号を探索するために、前記チャネル・リストに提供された１または複数のチャネルへ調節することによって、プレ・ハッシュ処理を実行することと、のために構成された、請求項２７に記載の装置。
【請求項３２】
前記処理システムはさらに、前記システム時間および前記近隣リストを取得するように構成され、
前記処理システムはさらに、
前記プレ・ハッシュ処理の結果、使用可能なパイロットにならなかったと判定することと、
前記チャネル・リスト内の一次チャネルへ調節することと、
前記システム時間および前記近隣リストを用いて、前記一次チャネルのためのパイロット探索およびスキャン処理を実行することと、のために構成された、請求項３１に記載の装置。
【請求項３３】
前記処理システムはさらに、
前記近隣リストにパイロット・オフセット・インクリメント値が含まれていることを判定することと、
パイロットを求めて、前記パイロット・オフセット・インクリメント値を用いて、リマインダ・セットを探索することと、のために構成された、請求項３２に記載の装置。
【請求項３４】
前記処理システムはさらに、
前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていることを判定するか、または、各チャネルについて、受信した自動利得制御値が、電力しきいを超えていないことを判定することと、
好適ローミング・リスト（ＰＲＬ：preferred roaming list）を用いて、システム獲得を実行することと、のために構成された、請求項３１に記載の装置。
【請求項３５】
前記処理システムはさらに、少なくとも１つのＰＲＬ値を、サービス提供しているｅノードＢへ送信するように構成され、
前記サービス提供しているｅノードＢは、前記使用可能なシステム・パラメータを、前記ＰＲＬ値を用いて更新するために、前記少なくとも１つの、送信されたＰＲＬ値を用いる、請求項３４に記載の装置。
【請求項３６】
前記行列は、前記ＣＳＦＢパラメータがどのソースから取得されるかにさらに拠って、前記フル・システム獲得処理または包括的なシステム獲得処理のいずれをとり得るかを示す、請求項１に記載の方法。
【請求項３７】
前記行列は、前記ＣＳＦＢパラメータがどのソースから取得されるかにさらに拠って、前記フル・システム獲得処理または包括的なシステム獲得処理のいずれをとり得るかを示す、請求項１０に記載の装置。
【請求項３８】
前記行列は、前記ＣＳＦＢパラメータがどのソースから取得されるかにさらに拠って、前記フル・システム獲得処理または包括的なシステム獲得処理のいずれをとり得るかを示す、請求項１９に記載のコンピュータ読取可能な記憶媒体。
【請求項３９】
前記行列は、前記ＣＳＦＢパラメータがどのソースから取得されるかにさらに拠って、前記フル・システム獲得処理または包括的なシステム獲得処理のいずれをとり得るかを示す、請求項２７に記載の装置。
【請求項４０】
無線通信のための方法であって、
ＬＴＥ ｅノードＢまたは使用可能なシステムのうちの少なくとも１つから、複数の回路切換フォールバック（ＣＳＦＢ）パラメータのうちの少なくとも１つを取得すること、ここで、前記複数のＣＳＦＢパラメータは、チャネル・リスト、システム時間、および近隣リストを備え、前記取得することは、前記チャネル・リストを取得することを備える、と；
前記取得された複数のＣＳＦＢパラメータのうちの少なくとも１つに基づいて、フル・システム獲得処理または包括的なシステム獲得処理のうちの何れかを実行すること、ここで、前記フル・システム獲得処理または前記包括的なシステム獲得処理を実行することは、パイロット信号を探索するために、前記チャネル・リストに提供された１または複数のチャネルへ調節することによって、プレ・ハッシュ処理を実行することを含む、と；
前記プレ・ハッシュ処理の結果、使用可能なパイロットにならなかったと判定することと；
前記チャネル・リスト内の一次チャネルへ調節することと；
受信した自動利得制御値が、前記一次チャネルの電力しきいを超えていることを判定するか、または、各チャネルについて、受信した自動利得制御値が、電力しきいを超えていないことを判定することの何れかを行うことと；
好適ローミング・リスト（ＰＲＬ：preferred roaming list）を用いて、システム獲得を実行することと；を備える、方法。
【請求項４１】
少なくとも１つのＰＲＬ値を、サービス提供しているｅノードＢへ送信することをさらに備え、
前記サービス提供しているｅノードＢは、前記使用可能なシステム・パラメータを、前記ＰＲＬ値を用いて更新するために、前記少なくとも１つの、送信されたＰＲＬ値を用いる、請求項４０に記載の方法。
【請求項４２】
無線通信のための装置であって、
ＬＴＥ ｅノードＢまたは使用可能なシステムのうちの少なくとも１つから、複数のＣＳＦＢパラメータのうちの少なくとも１つを取得する手段、ここで、前記複数のＣＳＦＢパラメータは、チャネル・リスト、システム時間、および近隣リストを備え、前記取得する手段は、前記チャネル・リストを取得する、と；
前記取得された複数のＣＳＦＢパラメータのうちの少なくとも１つに基づいて、フル・システム獲得処理または包括的なシステム獲得処理のうちの何れかを実行する手段、ここで、前記フル・システム獲得処理または前記包括的なシステム獲得処理を実行する手段は、パイロット信号を探索するために、前記チャネル・リストに提供された１または複数のチャネルへ調節することによって、プレ・ハッシュ処理を実行する、と；
前記プレ・ハッシュ処理の結果、使用可能なパイロットにならなかったと判定する手段と；
前記チャネル・リスト内の一次チャネルへ調節する手段と；
受信した自動利得制御値が、前記一次チャネルの電力しきいを超えていると判定する手段、または、各チャネルについて、受信した自動利得制御値が、電力しきいを超えていないと判定する手段のうちの何れかと；
好適ローミング・リスト（ＰＲＬ：preferred roaming list）を用いて、システム獲得を実行する手段と；を備える、装置。
【請求項４３】
少なくとも１つのＰＲＬ値を、サービス提供しているｅノードＢへ送信する手段をさらに備え、
前記サービス提供しているｅノードＢは、前記使用可能なシステム・パラメータを、前記ＰＲＬ値を用いて更新するために、前記少なくとも１つの、送信されたＰＲＬ値を用いる、請求項４２に記載の装置。
【請求項４４】
ＬＴＥ ｅノードＢまたは使用可能なシステムのうちの少なくとも１つから、複数のＣＳＦＢパラメータのうちの少なくとも１つを取得すること、ここで、前記複数のＣＳＦＢパラメータは、チャネル・リスト、システム時間、および近隣リストを備える、と；
前記取得された複数のＣＳＦＢパラメータのうちの少なくとも１つに基づいて、フル・システム獲得処理または包括的なシステム獲得処理のうちの何れかを実行することと；
前記チャネル・リストを取得することと、
パイロット信号を探索するために、前記チャネル・リストに提供された１または複数のチャネルへ調節することによって、プレ・ハッシュ処理を実行することと、
前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていると判定すること、または、各チャネルについて、受信した自動利得制御値が、電力しきいを超えていないと判定することのうちの何れかを行うことと、
好適ローミング・リスト（ＰＲＬ：preferred roaming list）を用いて、システム獲得を実行することと、のためのコードを備えるコンピュータ読取可能な記憶媒体。
【請求項４５】
さらに、少なくとも１つのＰＲＬ値を、サービス提供しているｅノードＢへ送信するためのコードを備え、
前記サービス提供しているｅノードＢは、前記使用可能なシステム・パラメータを、前記ＰＲＬ値を用いて更新するために、前記少なくとも１つの、送信されたＰＲＬ値を用いる、請求項４４に記載のコンピュータ読取可能な記憶媒体。
【請求項４６】
無線通信のための装置であって、
ＬＴＥ ｅノードＢまたは使用可能なシステムのうちの少なくとも１つから、複数のＣＳＦＢパラメータのうちの少なくとも１つを取得すること、ここで、前記複数のＣＳＦＢパラメータは、チャネル・リスト、システム時間、および近隣リストを備える、と；前記取得された複数のＣＳＦＢパラメータのうちの少なくとも１つに基づいて、フル・システム獲得処理または包括的なシステム獲得処理のうちの何れかを実行することと；
前記チャネル・リストを取得することと；
パイロット信号を探索するために、前記チャネル・リストに提供された１または複数のチャネルへ調節することによって、プレ・ハッシュ処理を実行することと；
前記プレ・ハッシュ処理の結果、使用可能なパイロットにならなかったと判定することと；
前記チャネル・リスト内の一次チャネルへ調節することと；
受信した自動利得制御値が、前記一次チャネルの電力しきいを超えていることを判定するか、または、各チャネルについて、受信した自動利得制御値が、電力しきいを超えていないことを判定することと；
好適ローミング・リスト（ＰＲＬ：preferred roaming list）を用いて、システム獲得を実行することと；のために構成された処理システムを備える、装置。
【請求項４７】
前記処理システムはさらに、少なくとも１つのＰＲＬ値を、サービス提供しているｅノードＢへ送信するように構成され、
前記サービス提供しているｅノードＢは、前記使用可能なシステム・パラメータを、前記ＰＲＬ値を用いて更新するために、前記少なくとも１つの、送信されたＰＲＬ値を用いる、請求項４６に記載の装置。
【発明の詳細な説明】
【技術分野】
【０００１】
本開示は一般に通信システムに関し、さらに詳しくは、ロング・ターム・イボリューション（ＬＴＥ）環境において、ロバストなリダイレクション／再選択回路切換フォールバック（ＣＳＦＢ：circuit switch fall back）手順を提供するためのシステムおよび方法に関する。
【背景技術】
【０００２】
無線通信システムは、例えば電話技術、ビデオ、データ、メッセージング、およびブロードキャストのようなさまざまな通信サービスを提供するように広く開発された。一般に、無線通信システムは、使用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００３】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ＬＴＥである。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００４】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００５】
１または複数の態様および対応する開示によれば、ＬＴＥ環境において、ロバストなリダイレクション／再選択ＣＳＦＢ手順を提供することに関するさまざまな態様が記載されている。この方法は、ＬＴＥ  ｅノードＢまたは使用可能なシステムのうちの少なくとも１つから、複数のＣＳＦＢパラメータのうちの少なくとも１つを取得することと、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行することと；を備えうる。
【０００６】
また、別の態様は、装置に関連する。この装置は、ＬＴＥ  ｅノードＢまたは使用可能なシステムのうちの少なくとも１つから、複数のＣＳＦＢパラメータのうちの少なくとも１つを取得する手段と、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行する手段と；を含みうる。
【０００７】
また別の態様は、コンピュータ読取可能な媒体を備えたコンピュータ・プログラム製品に関連する。このコンピュータ読取可能な媒体は、ＬＴＥ  ｅノードＢまたは使用可能なシステムのうちの少なくとも１つから、複数のＣＳＦＢパラメータのうちの少なくとも１つを取得するためのコードと、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行するためのコードと；を含みうる。
【０００８】
また別の態様は、無線通信のための装置に関連する。この装置は、ＬＴＥ  ｅノードＢまたは使用可能なシステムのうちの少なくとも１つから、複数のＣＳＦＢパラメータのうちの少なくとも１つを取得し、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行する；ように構成された処理システムを含みうる。
【０００９】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１０】
【図１】図１は、処理システムを適用する装置のためのハードウェア実装の例を例示する図解である。
【図２】図２は、ネットワーク・アーキテクチャの例を例示する図解である。
【図３】図３は、アクセス・ネットワークの例を例示する図解である。
【図４】図４は、アクセス・ネットワークにおいて使用するためのフレーム構造の例を例示する図解である。
【図５】図５は、ＬＴＥにおけるＵＬのための典型的なフォーマットを示す。
【図６】図６は、ユーザ・プレーンおよび制御プレーンのためのラジオ・プロトコル・アーキテクチャの例を例示する図解である。
【図７】図７は、アクセス・ネットワークにおけるイボルブド・ノードＢおよびユーザ機器の例を例示する図解である。
【図８】図８は、無線通信の方法のフロー・チャートである。
【図９】図９は、態様にしたがうＣＳＦＢシステム獲得手順の例を例示する行列である。
【図１０】図１０は、態様にしたがうフル獲得手順のフロー・チャートである。
【図１１】図１１は、態様にしたがう包括的獲得手順のフロー・チャートである。
【図１２】図１２は、態様にしたがうパイロット探索およびスキャン手順のフロー・チャートである。
【図１３】図１３は、典型的な装置の機能を例示する概念ブロック図である。
【発明を実施するための形態】
【００１１】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１３】
例として、要素、要素の任意の部分、または、要素の任意の組み合わせが、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体はさらに、一例として、搬送波、送信線、および、コンピュータによってアクセスされうる命令群および／またはソフトウェアを送信するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１４】
図１は、処理システム１１４を適用する装置１００のためのハードウェア実装の例を例示する概念図である。この例では、処理システム１１４は、一般にバス１０２によって表されているバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置の性質によって、ユーザ・インタフェース１１２（例えば、キーパッド、ディスプレイ、スピーカ、マイクロフォン、ジョイスティック）も提供されうる。
【００１５】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１６】
図２は、さまざまな装置１００（図１参照）を適用するＬＴＥネットワーク・アーキテクチャ２００を例示する図解である。ＬＴＥネットワーク・アーキテクチャ２００は、イボルブド・パケット・システム（ＥＰＳ）２００と称されうる。ＥＰＳ２００は、１または複数のＵＥ２０２、イボルブドＵＭＴＳ地上ラジオ・アクセス・ネットワーク（Ｅ−ＵＴＲＡＮ）２０４、イボルブド・パケット・コア（ＥＰＣ）２１０、ホーム加入者サーバ（ＨＳＳ）２２０、およびオペレータのＩＰサービス２２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００１７】
Ｅ−ＵＴＲＡＮは、イボルブド・ノードＢ（ｅＮＢ）２０６およびその他のｅＮＢ２０８を含んでいる。ｅＮＢ２０６は、ＵＥ２０２向けのユーザ・プレーン・プロトコルおよび制御プレーン・プロトコルの終了を提供する。ｅＮＢ２０６は、Ｘ２インタフェース（すなわち、バックホール）を経由して他のｅＮＢ２０８に接続されうる。ｅＮＢ２０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ２０６は、ＵＥ２０２のために、ＥＰＣ２１０にアクセス・ポイントを提供する。ＵＥ２０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。ＵＥ２０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１８】
ｅＮＢ２０６は、Ｓ１インタフェースによってＥＰＣ２１０に接続される。ＥＰＣ２１０は、モビリティ管理エンティティ（ＭＭＥ）２１２、その他のＭＭＥ２１４、サービス提供ゲートウェイ２１６、およびパケット・データ・ネットワーク（ＰＤＮ）ゲートウェイ２１８を含んでいる。ＭＭＥ２１２は、ＵＥ２０２とＥＰＣ２１０との間のシグナリングを処理する制御ノードである。一般に、ＭＭＥ２１２はベアラおよび接続管理を提供する。すべてのユーザＩＰパケットは、ＰＤＮゲートウェイ２１８に接続されているサービス提供ゲートウェイ２１６を介して転送される。ＰＤＮゲートウェイ２１８は、ＵＥ  ＩＰアドレス割当のみならず、その他の機能も提供する。ＰＤＮゲートウェイ２１８は、オペレータのＩＰサービス２２２に接続される。オペレータのＩＰサービス２２２は、インターネット、イントラネット、ＩＰマルチメディア・サブシステム（ＩＭＳ）、およびＰＳストリーミング・サービス（ＰＳＳ）を含んでいる。
【００１９】
図３は、ＬＴＥネットワーク・アーキテクチャにおけるアクセス・ネットワークの例を例示する図である。この例では、アクセス・ネットワーク３００は、多くのセルラ領域（セル）３０２に分割される。１または複数の低電力クラスのｅＮＢ３０８，３１２は、これらセル３０２のうちの１または複数とそれぞれオーバラップするセルラ領域３１０，３１４をそれぞれ有しうる。低電力クラスのｅＮＢ３０８，３１２は、フェムト・セル（例えば、ホームｅＮＢ（ＨｅＮＢ））、ピコ・セル、またはマイクロ・セルでありうる。高電力クラスまたはマクロｅＮＢ３０４は、セル３０２に割り当てられ、セル３０２内のすべてのＵＥ３０６のためにＥＰＣ２１０へアクセス・ポイントを提供するように構成されている。アクセス・ネットワーク３００のこの例では、中央コントローラは存在しないが、別の構成では、中央コントローラが使用されうる。ｅＮＢ３０４は、ラジオ・ベアラ制御、許可制御、モビリティ制御、スケジューリング、セキュリティ、および、（図２に示す）サービス提供ゲートウェイ２１６への接続を含むすべてのラジオ関連機能を担当する。
【００２０】
アクセス・ネットワーク３００によって適用される変調および多元接続スキームは、展開されている特定の通信規格に依存して変動しうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）；ＴＤＭＡを適用するグローバル移動体通信（ＧＳＭ（登録商標））；ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭ、に拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２１】
ｅＮＢ３０４は、ＭＩＭＯ技術をサポートする複数のアンテナを有しうる。ＭＩＭＯ技術を使用することにより、ｅＮＢ３０４は、空間多重化、ビームフォーミング、および送信ダイバーシティをサポートするために空間領域を活用できるようになる。
【００２２】
空間多重化は、同じ周波数で、異なるデータ・ストリームを同時に送信するために使用されうる。データ・ストリームは、データ・レートを高めるために単一のＵＥ３０６へ、全体的なシステム容量を高めるために複数のＵＥ３０６へ、送信されうる。これは、各データ・ストリームを空間的にプリコードし、空間的にプリコードされた各ストリームを、ダウンリンクで、異なる送信アンテナを介して送信することによって達成される。この空間的にプリコードされたデータ・ストリームは、異なる空間シグニチャを持つＵＥ（単数または複数）３０６に到着する。これによって、ＵＥ（単数または複数）３０６のおのおのは、ＵＥ３０６のために指定された１または複数のデータ・ストリームを復元できるようになる。アップリンクでは、おのおののＵＥ３０６が、空間的にプリコードされたデータ・ストリームを送信する。これによって、ｅＮＢ３０４は、空間的にプリコードされた各データ・ストリームのソースを識別できるようになる。
【００２３】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００２４】
以下に続く詳細説明では、アクセス・ネットワークのさまざまな態様が、ダウンリンクでＯＦＤＭをサポートするＭＩＭＯシステムに関して記述されるだろう。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００２５】
ＤＬ送信とＵＬ送信とをサポートするために、さまざまなフレーム構造が使用されうる。ＤＬフレーム構造の例が、図４を参照して示される。しかしながら、当業者が容易に認識するように、どの特定のアプリケーションのフレーム構造も、任意の数の要因に依存して異なりうる。この例では、フレーム（１０ミリ秒）が、等しいサイズの１０のサブフレームに分割される。おのおののサブフレームは、２つの連続する時間スロットを含む。
【００２６】
おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。Ｒ４０２，４０４として示されるような、リソース要素のいくつかは、ＤＬ基準信号（ＤＬ−ＲＳ）を含んでいる。ＤＬ−ＲＳは、（しばしば、共通ＲＳとも称される）セル特有のＲＳ（ＣＲＳ）４０２と、ＵＥ特有のＲＳ（ＵＥ−ＲＳ）４０４とを含んでいる。ＵＥ−ＲＳ４０４は、対応する物理ダウンリンク共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２７】
ＵＬフレーム構造５００の例が、図５を参照して示される。図５は、ＬＴＥにおけるＵＬのための典型的なフォーマットを示す。ＵＬのために使用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図５における設計の結果、データ・セクションは、連続するサブキャリアを含むようになる。これによって、単一のＵＥに、データ・セクションにおいて連続するサブキャリアのすべてが割り当てられるようになる。
【００２８】
ＵＥは、ｅＮＢへ制御情報を送信するために、制御セクションにおいてリソース・ブロック５１０ａ，５１０ｂを割り当てられうる。ＵＥはまた、ｅＮＢへデータを送信するために、データ・セクションにおいてリソース・ブロック５２０ａ，５２０ｂを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。ＵＬ送信は、サブフレームからなる両スロットにおよび、図５に示すように、周波数を越えてホップしうる。
【００２９】
図５に示すように、物理ランダム・アクセス・チャネル（ＰＲＡＣＨ）５３０における初期システム・アクセスの実行と、ＵＬ同期の達成とのために、リソース・ブロックのセットが使用されうる。ＰＲＡＣＨ５３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送され、ＵＥは、フレーム（１０ミリ秒）毎に１回のＰＲＡＣＨ試行しか行わない。
【００３０】
ＬＴＥにおけるＰＵＣＣＨ、ＰＵＳＣＨ、およびＰＲＡＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３１】
ラジオ・プロトコル・アーキテクチャは、特定のアプリケーションに依存してさまざまな形態をとりうる。ＬＴＥシステムに関する例が、図６を参照して示される。図６は、ユーザ・プレーンおよび制御プレーンのためのラジオ・プロトコル・アーキテクチャの例を例示する概念図である。
【００３２】
図６に移って、ＵＥおよびｅＮＢのためのラジオ・プロトコル・アーキテクチャが、３つのレイヤ、すなわち、レイヤ１、レイヤ２、およびレイヤ３を用いて図示される。レイヤ１は、最下部レイヤであり、さまざまな物理レイヤ信号処理機能を実施する。レイヤ１は、本明細書では物理レイヤ６０６と称されるだろう。レイヤ２（Ｌ２レイヤ）６０８は、物理レイヤ６０６上にあり、物理レイヤ６０６を介したＵＥとｅＮＢとの間のリンクを担当する。
【００３３】
ユーザ・プレーンでは、Ｌ２レイヤ６０８は、媒体アクセス制御（ＭＡＣ）サブレイヤ６１０と、ラジオ・リンク制御（ＲＬＣ）サブレイヤ６１２と、パケット・データ収束プロトコル（ＰＤＣＰ）サブレイヤ６１４とを含む。これらは、ネットワーク側におけるｅＮＢにおいて終了する。図示されていないが、ＵＥは、ネットワーク側におけるＰＤＮゲートウェイ２０８（図２参照）で終了するネットワーク・レイヤ（例えば、ＩＰレイヤ）を含む、Ｌ２レイヤ６０８上のいくつかの上部レイヤと、（例えば、遠くのエンドＵＥ、サーバ等のような）接続の他端において終了するアプリケーション・レイヤとを有しうる。
【００３４】
ＰＤＣＰサブレイヤ６１４は、異なるラジオ・ベアラと論理チャネルとの間の多重化を提供する。ＰＤＣＰサブレイヤ６１４はまた、ラジオ送信オーバヘッドを低減するための上部レイヤ・データ・パケットのヘッダ圧縮、データ・パケットを暗号化することによるセキュリティ、および、ｅＮＢ間のＵＥのためのハンドオーバ・サポートを提供する。ＲＬＣサブレイヤ６１２は、上部レイヤ・データ・パケットのセグメント化および再アセンブリ、喪失したデータ・パケットの再送信、および、ハイブリッド自動反復要求（ＨＡＲＱ）による順不同な受信を補償するためのデータ・パケットの並べ替えを提供する。ＭＡＣサブレイヤ６１０は、論理チャネルと伝送チャネルとの間の多重化を提供する。ＭＡＣサブレイヤ６１０はまた、１つのセル内のさまざまなラジオ・リソース（例えば、リソース・ブロック）を、ＵＥ間に割り当てることをも担当する。ＭＡＣサブレイヤ６１０はまた、ＨＡＲＱ動作をも担当する。
【００３５】
制御プレーンでは、ＵＥおよびｅＮＢのためのラジオ・プロトコル・アーキテクチャは、制御プレーンのためのヘッダ圧縮機能が無いことを除いて、物理レイヤ６０６およびＬ２レイヤ６０８について実質的に同じである。制御プレーンはまた、レイヤ３にラジオ・リソース制御（ＲＲＣ）サブレイヤ６１６を含んでいる。ＲＲＣサブレイヤ６１６は、ラジオ・リソース（すなわち、ラジオ・ベアラ）を取得することと、ＲＲＣシグナリングを用いてｅＮＢとＵＥとの間に下部レイヤを設定することと、を担当する。
【００３６】
図７は、アクセス・ネットワークにおいてＵＥ７５０と通信しているｅＮＢ７１０のブロック図である。ＤＬでは、コア・ネットワークからの上部レイヤ・パケットが、コントローラ／プロセッサ７７５へ提供される。コントローラ／プロセッサ７７５は、図６に関して以前に記述されたＬ２レイヤの機能を実現する。ＤＬでは、コントローラ／プロセッサ７７５は、さまざまな優先度判定基準に基づいて、ヘッダ圧縮、暗号化、パケット・セグメント化および並べ替え、論理チャネルと伝送チャネルとの間の多重化、および、ＵＥ７５０へのラジオ・リソース割当を提供する。さらに、コントローラ／プロセッサ７７５はまた、ＨＡＲＱ動作、喪失パケットの再送信、およびＵＥ７５０へのシグナリングを担当する。
【００３７】
ＴＸプロセッサ７１６は、Ｌ１レイヤ（すなわち、物理レイヤ）のためのさまざまな信号処理機能を実現する。この信号処理機能は、ＵＥ７５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器７７４からのチャネル推定値が、空間処理のみならず、符号化および変調スキームを決定するためにも使用されうる。チャネル推定値は、ＵＥ７５０によって送信されたチャネル状態フィードバックおよび／または基準信号から導出されうる。おのおのの空間ストリームはその後、個別の送信機７１８ＴＸを介して異なるアンテナ７２０へ提供される。おのおのの送信機７１８ＴＸは、送信のために、それぞれの空間ストリームを用いてＲＦキャリアを変調する。
【００３８】
ＵＥ７５０では、おのおのの受信機７５４ＲＸが、それぞれのアンテナ７５２を介して信号を受信する。おのおのの受信機７５４ＲＸは、ＲＦキャリアへ変調された情報を復元し、この情報を、受信機（ＲＸ）プロセッサ７５６へ提供する。
【００３９】
ＲＸプロセッサ７５６は、Ｌ１レイヤのさまざまな信号処理機能を実現する。ＲＸプロセッサ７５６は、この情報に対して空間処理を実行し、ＵＥ７５０に向けられた空間ストリームを復元する。複数の空間ストリームが、ＵＥ７５０に向けられている場合、これらは、ＲＸデータ・プロセッサ７５６によって、単一のＯＦＤＭシンボル・ストリームへ結合されうる。ＲＸプロセッサ７５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ７１０によって送信された最も可能性の高いコンステレーション・ポイントを判定することによって復元および復調される。これら軟判定は、チャネル推定器７５８によって計算されたチャネル推定値に基づきうる。これら軟判定はその後、復号およびデインタリーブされ、物理チャネル上でｅＮＢ７１０によって送信されたオリジナルのデータおよび制御信号が復元される。データおよび制御信号はその後、コントローラ／プロセッサ７５９へ提供される。
【００４０】
コントローラ／プロセッサ７５９は、図６に関して以前に記載されたＬ２レイヤの機能を実現する。ＤＬでは、制御／プロセッサ７５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク７６２へ提供される。Ｌ３処理のためにも、データ・シンク７６２へさまざまな制御信号が提供されうる。コントローラ／プロセッサ７５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００４１】
ＵＬでは、コントローラ／プロセッサ７５９へ上部レイヤ・パケットを提供するために、データ・ソース７６７が使用される。データ・ソース７６７は、Ｌ２レイヤ（Ｌ２）上のすべてのプロトコル・レイヤを表す。ｅノードＢ７１０によるＤＬ送信に関して記載された機能と同様に、コントローラ／プロセッサ７５９は、ヘッダ圧縮、暗号化、パケット・セグメント化および並べ替え、および、ｅＮＢ７１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ７５９はまた、ＨＡＲＱ動作、喪失パケットの再送信、およびｅＮＢ７１０へのシグナリングを担当する。
【００４２】
ｅＮＢ７１０によって送信されたフィードバックまたは基準信号から、チャネル推定器７５８によって導出されたチャネル推定値が、適切な符号化スキームおよび変調スキームを選択するために、および、空間処理を容易にするために、ＴＸプロセッサ７６８によって使用されうる。ＴＸプロセッサ７６８によって生成された空間ストリームは、個別の送信機７５４ＴＸを介して異なるアンテナ７５２に提供される。おのおのの送信機７５４ＴＸは、送信のために、それぞれの空間ストリームを用いてＲＦキャリアを変調する。
【００４３】
ＵＬ送信は、ＵＥ７５０における受信機機能に関して記載されたものと類似した方式で、ｅＮＢ７１０において処理される。おのおのの受信機７１８ＲＸは、それぞれのアンテナ７２０を介して信号を受信する。おのおのの受信機７１８ＲＸは、ＲＦキャリアへ変調された情報を復元し、この情報を、ＲＸプロセッサ７７０へ提供する。ＲＸプロセッサ７７０は、Ｌ１レイヤを実現する。
【００４４】
コントローラ／プロセッサ７５９は、図６に関して以前に記述されたＬ２レイヤの機能を実現する。ＵＬでは、制御／プロセッサ７７５は、ＵＥ７５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ７７５からの上部レイヤ・パケットは、コア・ネットワークへ提供されうる。コントローラ／プロセッサ７７５はまた、ＨＡＲＱ動作をサポートするためにＡＣＫおよび／またはＮＡＣＫプロトコルを用いて、誤り検出を担当する。
【００４５】
図１に関連して記載された処理システム１１４は、ＵＥ７５０を含む。特に、この処理システム１１４は、ＴＸプロセッサ７６８、ＲＸプロセッサ７５６、および、コントローラ／プロセッサ７５９を含む。
【００４６】
図８，１０，１１，１２は、権利主張された主題にしたがうさまざまな方法を例示する。説明を単純にする目的で、これら方法は、本技術にしたがって、一連の動作として示され説明されているが、権利主張される主題は、いくつかの動作が本明細書で示され記載されたものとは異なる順序で、および／または、他の動作と同時に生じうるので、これら動作の順序によって限定されないことが理解され認識されるべきである。例えば、当業者であれば、これら方法はこの代わりに、例えば状態図におけるように、一連の相互関連する状態またはイベントとして表されうることを理解し認識するだろう。さらに、権利主張される主題にしたがって方法を実現するために、必ずしも例示された全ての動作が必要される訳ではない。それに加えて、以下に開示される方法および本明細書全体にわたる方法は、これら方法をコンピュータへ伝送および転送することを容易にするために、製造物品に格納されることが可能であることが認識されるべきである。本明細書で使用される用語である製造物品は、任意のコンピュータ読取可能なデバイス、キャリア、または媒体からアクセスすることが可能なコンピュータ・プログラムを含むことが意図される。
【００４７】
図８は、無線通信の方法のフロー・チャート８００である。一般に、電話番号がダイヤルされ、回路切換（ＣＳ）（例えば、１ｘシステム・ベースの）コールがなされた場合、ＵＥがＬＴＥネットワーク上にキャンプしているのであれば、ＣＳＦＢ手順が適用されうる。ＣＳＦＢ手順を実施するためには、さまざまなＣＳＦＢパラメータが使用され、１ｘシステム接続が確立される。１つの態様では、ＣＳＦＢパラメータは、チャネル・リスト、システム時間、および近隣リストを備えうる。動作中、ＣＳＦＢパラメータが取得されると、ＵＥは、チャネル・リストにおいてハッシュを実行し、ハッシュされたチャネルに調節しうる。１つの態様では、この手順は、プレ・ハッシュと称されうる。その後、ＵＥは、システム時間を用いて１ｘシステムを獲得し、近隣リストからパイロットを探索する。１つの態様では、システム時間および近隣リストは、ＣＤＭＡシステム時間およびＣＤＭＡ近隣リストでありうる。
【００４８】
１つの態様では、ＵＥは、１または複数のネットワーク・ソースから、複数のＣＳＦＢパラメータのうちの少なくとも１つを取得しうる。１つのオプションの態様では、参照番号８０２において、複数のＣＳＦＢパラメータのうちの１または複数が、使用可能なシステムから取得されうる。１つの態様では、使用可能なシステムは、ＵＥが最近キャンプしていたシステム（例えば、最近の良好なシステム（ＲＧＳ））を含みうる。別の態様では、使用可能なシステムは、ＵＥ、オペレータ等（例えば、好適なシステム（ＰＳ））によって定義されうる。別の態様では、使用可能なシステムは、ホーム・システムでありうる。また別の態様では、ＰＳは、ホーム・システム（例えば、ＵＥがキャンプしていたシステム、および／または、ＵＥがサービスを取得したシステム）でありうる。そのため、使用可能なシステムは、ホーム・システムであるＲＧＳ−ＰＳでありうる。１つの態様では、使用可能なシステム・パラメータは、後の使用のためにＵＥによって格納（例えば、キャッシュ）されうる。別の態様では、格納された使用可能なシステム・パラメータは、タイムスタンプ値を含みうる。このタイムスタンプ値によって、ＵＥは、格納された使用可能なシステム・パラメータの相対的な新しさを決定できるようになる。その他の、オプションの態様では、参照番号８０４において、ＵＥは、サービス提供しているｅノードＢ（例えば、ＬＴＥ  ｅノードＢ）から、１または複数のＣＳＦＢパタメータを受信しうる。参照番号８０６では、どのＣＳＦＢパラメータが取得され、１ｘシステムを獲得するために使用可能であるかが判定される。さまざまなシステム獲得構成および態様を提供する行列が、図９を参照して提供される。参照番号８０６において、チャネル・リストが使用可能であり、システム時間および近隣リストのうちの少なくとも１つが利用不可能であると判定されると、参照番号８０８において、フル獲得処理が実行されうる。フル獲得処理は、図１０を参照して説明される。一方、参照番号８０６において、ＣＤＭＡチャネル・リスト、ＣＤＭＡシステム時間およびＣＤＭＡ近隣リストのすべて使用可能であると判定されると、参照番号８１０において、包括的な獲得処理が実行されうる。包括的な獲得処理は、図１１および図１２を参照して説明される。
【００４９】
図９は、ＣＳＦＢシステム獲得手順の例を例示する行列９００である。図示された行列９００では、存在が「１」で、不在が「０」で、適用外が「ＮＡ」となるように、状態が示されている。一般に、さまざまなＣＳＦＢパラメータは、チャネル・リスト９０２、システム時間９０４、および近隣リスト９０６である。
【００５０】
限定される訳ではないが、例えば、ＬＴＥが提供するシステム時間９０８、ＬＴＥが提供する近隣リスト９１０、ＬＴＥからのチャネル・リストに含まれたＲＧＳ−ＰＳ９１２、使用可能なＲＧＳ−ＰＳから提供されるシステム時間９１４、使用可能なＲＧＳ−ＰＳから提供される近隣セットおよびアクティブ・セット９１６等のようなこれらＣＳＦＢパラメータが、さまざまなネットワーク・ソースから取得されうる。１つの態様では、タイムスタンプが、格納された任意のＲＧＳ−ＰＳパラメータに関連付けられ、このタイムスタンプが、しきい時間内に取得されたＲＧＳ−ＰＳパラメータを示した場合、ＵＥは、ＲＧＳ−ＰＳからの格納されたパラメータを使用しうる。１つの態様では、ＵＥは、ＲＧＳ−ＰＳ値に関するメンテナンスを実行し、これら値が、使用可能な状態に維持されていることを確認する。例えば、ＵＥが以前に、しきい時間前を超えることなくＲＧＳ−ＰＳにあり、システム時間がそれ以降維持されている場合、ＲＧＳ−ＰＳシステム時間は使用可能でありうる。さらに、ＵＥはＲＧＳ−ＰＳに再接続し、ＲＧＳ−ＰＳ値が使用可能な状態に維持されていることを確認しうる。別の例では、ＵＥが以前に、しきい時間前を超えることなくＲＧＳ−ＰＳにあった場合、最後のＲＧＳ−ＰＳアクティブ・セットおよび近隣リストが使用されうる。
【００５１】
図９に示されるように、どのＣＳＦＢパラメータ（９０２，９０４，９０６）が使用可能であるか、および、どのソース（９０８，９１０，９１２，９１４，９１６）からＣＳＦＢパラメータが取得されたのかに依存して、さまざまな動作が講じられうる。１つの態様では、フル獲得処理９１８が実行されうる。フル獲得処理は、図１０を参照して説明される。別の態様では、包括的な獲得処理９２０が実行されうる。包括的な獲得処理は、図１１および図１２を参照して説明される。
【００５２】
１つの態様では、ＣＳＦＢパラメータが、ＬＴＥ  ｅノードＢ９２２から受信されうる。別の態様では、ＲＧＳ−ＰＳパラメータが、例えば、ＬＴＥ  ｅノードＢによって提供されたチャネル・リストの最後に、ＲＧＳ−ＰＳのチャネル・データを追加することによって、ＬＴＥパラメータと連結されたフォーマット９２４で提供されうる。例えば、チャネル・データは、ＣＤＭＡチャネル・データであり、チャネル・リストは、ＣＤＭＡチャネル・リストでありうる。別の態様では、ＣＳＦＢパラメータは、マージされたリスト９２８で提供されうる。例えば、マージされたリストは、ＬＴＥ近隣リスト、ＲＧＳ−ＰＳアクティブ・セット、およびＲＧＳ−ＰＳ近隣リストを含みうる。１つの態様では、ＣＳＦＢパラメータの複数のソースが使用可能である場合、ＵＥは、好適なソース９２６から選択しうる。例えば、ＬＴＥ  ｅノードＢおよびＲＧＳ−ＰＳからのパラメータが使用可能である場合、ＵＥは、ＬＴＥが取得したソースを使うことを選択しうる。そして、ＬＴＥが取得したソースに欠陥がある場合、ＵＥは、ＲＧＳ−ＰＳからパラメータを取得しうる。
【００５３】
図１０は、フル獲得手順１０００のフロー・チャートである。一般に、フル獲得処理の間、システム時間も近隣リストも知られていないことがありうる。参照番号１００２では、プレ・ハッシュ処理が実行されうる。１つの態様では、プレ・ハッシュは、チャネル・リストにおいてハッシュすることと、ハッシュされたチャネルに調節することとを含みうる。例えば、ＣＤＭＡチャネル・リストにおいてハッシュすることと、ハッシュされたＣＤＭＡチャネルに調節することである。参照番号１００４では、システムが獲得されたか否かが判定される。参照番号１００４において、システムが獲得されたと判定されると、参照番号１００６において、処理は終了しうる。逆に、参照番号１００４において、システムが獲得されていないと判定されると、参照番号１００８において、チャネル・リストから一次チャネルがスキャンされうる。本明細書で使用されるように、チャネル・リストは一般的な用語であり、限定される訳ではないが、ＣＤＭＡチャネル・リスト、ＬＴＥによって提供されたＣＤＭＡチャネル・リスト（例えば、ＣＤＭＡチャネル・リスト９１２）、ＬＴＥ値およびＲＧＳ−ＰＳ値からマージおよび／または連結されたリスト（例えば、マージ・リスト９２８、連結リスト９２４）から提供されたＣＤＭＡチャネル・リスト、等を含みうる。このような態様では、ＵＥは、一次チャネルへ調節し、受信自動利得制御（Ｒｘ  ＡＧＣ）を測定しうる。ＵＥはその後、Ｒｘ  ＡＧＣがしきい値を上回っている場合、フル獲得処理を実行しうる。別の態様では、Ｒｘ  ＡＧＣがしきい値を上回っていない場合、ＵＥは、一次チャネルと、判定されたＲｘ  ＡＧＣとを、ｔｏ−ｓｃａｎ−ｌａｔｅｒリストに格納しうる。
【００５４】
参照番号１０１０では、システムが獲得されたか否かが判定される。参照番号１０１０において、システムが獲得されたと判定された場合、参照番号１００６において、処理が終了しうる。逆に、参照番号１０１０において、システムが獲得されていないと判定された場合、ＲＧＳ−ＰＳからのチャネルがスキャンされうる（１０１２）。このような態様では、ＵＥは、ＲＧＳ−ＰＳチャネルへ調節し、Ｒｘ  ＡＧＣを測定しうる。Ｒｘ  ＡＧＣがしきい値を上回っている場合、ＵＥは、フル獲得処理を実行しうる。別の態様では、Ｒｘ  ＡＧＣがしきい値を上回っていない場合、ＵＥは、ＲＧＳ−ＰＳチャネルと、判定されたＲｘ  ＡＧＣとを、ｔｏ−ｓｃａｎ−ｌａｔｅｒリストに格納しうる。
【００５５】
参照番号１０１４では、システムが獲得されたか否かが判定される。参照番号１０１４において、システムが獲得されたと判定された場合、参照番号１００６において、処理が終了しうる。一方、参照番号１０１４において、システムが獲得されていないと判定された場合、チャネル・リストにおける他のチャネルに調節され、システム獲得が実行されうる（１０１６）。このような態様では、ＵＥは、チャネル・リストにおける各チャネルへ調節し、Ｒｘ  ＡＧＣを測定しうる。ＵＥはその後、Ｒｘ  ＡＧＣがしきい値を上回っているのであれば、各チャネルのフル獲得処理を実行しうる。別の態様では、Ｒｘ  ＡＧＣがしきい値を上回っていない場合、ＵＥは、判定されたＲｘ  ＡＧＣおよびチャネル・リストのうちの何れかを、ｔｏ−ｓｃａｎ−ｌａｔｅｒリストに格納しうる。
【００５６】
参照番号１０１８では、システムが獲得されたか否かが判定される。参照番号１０１８において、システムが獲得されたと判定された場合、参照番号１００６において、処理が終了しうる。一方、参照番号１０１８において、システムが獲得されていないと判定された場合、好適ローミング・リスト（ＰＲＬ）からの１または複数のチャネルが、１ｘシステム獲得を実行するために使用されうる（１０２０）。
【００５７】
参照番号１０２２では、１ｘシステムが獲得されたか否かが判定される。参照番号１０２２において、１ｘシステムが獲得されたと判定されると、参照番号１０２６において、サービス提供しているＬＴＥ  ｅノードＢへ、１ｘシステム値が通信されうる。１つのこのような態様では、レポートされた情報は、限定される訳ではないが、ＬＴＥ  ｅノードＢによって提供されたチャネルの何れも使用可能ではないことを示すインジケーション、獲得されたＰＲＬにおけるチャネル、等を含みうる。さらに、このような態様では、サービス提供しているＬＴＥ  ｅノードＢは、提供したチャネルにおける誤りが通知されうるか、および／または、ＰＲＬを介して獲得したチャネルを用いて値を更新しうる。一方、参照番号１０２２において、システムが獲得されていないと判定されると、参照番号１０２４において、システム獲得失敗メッセージが、サービス提供しているＬＴＥ  ｅノードＢへ送信されうる。
【００５８】
図１１は、包括的な獲得手順１１００のフロー・チャートである。１つの態様では、包括的な獲得処理は、パイロット探索およびスキャン（ＰＳＳ）処理と、ＰＳＳ処理に失敗した場合におけるフル獲得処理とを含みうる。参照番号１１０２では、プレ・ハッシュ処理が、ＰＳＳ処理の一部として実行されうる。ＰＳＳ処理の１つの態様が、図１２を参照して説明される。１つの態様では、プレ・ハッシュは、チャネル・リストにおいてハッシュすることと、ハッシュされたチャネルに調節することとを含みうる。参照番号１１０４では、ＰＳＳ処理が成功したか否かが判定される。参照番号１１０４では、ＰＳＳ処理が成功したと判定された場合、参照番号１１０６において、処理が終了しうる。一方、参照番号１１０４において、ＰＳＳ処理が成功しなかったと判定された場合、参照番号１１０８において、チャネル・リストからの一次チャネルが処理されうる。このような態様では、ＵＥは、一次チャネルへ調節し、ＰＳＳ処理を実行しうる。
【００５９】
参照番号１１１０では、ＰＳＳ処理が成功したか否かが判定される。参照番号１１１０において、ＰＳＳ処理が成功したと判定された場合、参照番号１１０６において、処理は終了しうる。一方、参照番号１１１０において、ＰＳＳ処理が成功しなかった判定された場合、ＲＧＳ−ＰＳからのチャネルがスキャンされうる（１１１２）。このような態様では、ＵＥは、ＲＧＳ−ＰＳチャネルでＰＳＳ処理を実行しうる。
【００６０】
参照番号１１１４では、ＰＳＳ処理が成功したか否かが判定される。参照番号１１１４において、ＰＳＳ処理が成功したと判定された場合、参照番号１１０６において、処理は終了しうる。一方、参照番号１１１４において、システムが獲得されていないと判定された場合、チャネル・リストにおける他のチャネルに調節され、システム獲得が実行されうる（１１１６）。このような態様では、ＵＥは、チャネル・リストにおける各チャネルへ調節し、Ｒｘ  ＡＧＣを測定しうる。本明細書で使用されるように、チャネル・リストは一般的な用語であり、限定される訳ではないが、ＣＤＭＡチャネル・リスト、ＬＴＥによって提供されたＣＤＭＡチャネル・リスト（例えば、ＣＤＭＡチャネル・リスト９１２）、ＬＴＥ値およびＲＧＳ−ＰＳ値からマージおよび／または連結されたリスト（例えば、マージ・リスト９２８、連結リスト９２４）から提供されたＣＤＭＡチャネル・リスト、等を含みうる。ＵＥはその後、Ｒｘ  ＡＧＣがしきい値を上回っているのであれば、各チャネルのＰＳＳ処理を実行しうる。別の態様では、Ｒｘ  ＡＧＣがしきい値を上回っていない場合、ＵＥは、判定されたＲｘ  ＡＧＣおよびチャネル・リストのうちの何れかを、ｔｏ−ｓｃａｎ−ｌａｔｅｒリストに格納しうる。一方、参照番号１１１４において、ＰＳＳ処理が成功しなかったと判定された場合、チャネル・リストからの他のチャネルについてＰＳＳ処理が実行されうる（１１１６）。このような態様では、ＵＥは、チャネルのおのおのへ調節し、ＰＳＳ処理を実行しうる。
【００６１】
参照番号１１１８では、ＰＳＳ処理が成功したか否かが判定される。参照番号１１１８において、ＰＳＳ処理が成功したと判定された場合、参照番号１１０６において、処理は終了しうる。一方、参照番号１１１８において、ＰＳＳ処理が成功しなかったと判定された場合、好適ローミング・リスト（ＰＲＬ）からの１または複数のチャネルが、１ｘシステム獲得を実行するために使用されうる（１１２０）。
【００６２】
参照番号１１２２では、ＰＳＳ処理が成功したか否かが判定される。参照番号１１２２において、１ｘシステムが獲得されたと判定されると、参照番号１１２６において、サービス提供しているＬＴＥ  ｅノードＢへ、１ｘシステム値が通信されうる。このような１つの態様では、レポートされた情報は、限定される訳ではないが、ＬＴＥ  ｅノードＢによって提供されたチャネルの何れも使用可能ではないことを示すインジケーション、獲得されたＰＲＬにおけるチャネル、等を含みうる。さらに、このような態様では、サービス提供しているＬＴＥ  ｅノードＢは、提供したチャネルにおける誤りが通知されうるか、および／または、ＰＲＬを介して獲得したチャネルを用いて値を更新しうる。一方、参照番号１１２２において、ＰＳＳ処理が成功しなかったと判定された場合、参照番号１１２４において、システム獲得失敗メッセージが、サービス提供しているＬＴＥ  ｅノードＢへ送信されうる。
【００６３】
図１２は、パイロット探索およびスキャン手順１２００のフロー・チャートである。一般に、ＰＳＳ処理では、１ｘシステム測定が実行されたか否かに関する仮定はない。さらに、与えられたチャネルに関し、ＰＳＳ処理は、システム時間および近隣リストを使用しうる。例えば、ＵＥは、（ＬＴＥ  ｅノードＢ、ＲＧＳ−ＰＳ等から取得した）システム時間を用いて、近隣リストにおいてパイロットから探索しうる。１つの態様では、ＵＥが近隣リストにおいて、使用可能なパイロットを発見できなかった場合、（例えば、パイロット・インクリメント・データが提供される、または、推定されうることを考慮して、）十分強いＲｘ  ＡＧＣが、リマインダ・セットの探索を示しうる。以下に説明されるように、ＰＳＳ処理が成功しなかったと仮定して、フル獲得処理が実行されうる。
【００６４】
参照番号１２０２では、ＬＴＥ  ｅノードＢが、システム時間を提供したか否かが判定される。参照番号１２０２において、ＬＴＥ  ｅノードＢがシステム時間を提供したと判定されると、参照番号１２０４では、提供されたシステム時間が、パイロットを求めて近隣リストを探索するために使用されうる。１つの態様では、ＬＴＥ  ｅノードＢから近隣リストが受信されうる。別の態様では、ＲＧＳ−ＰＳから近隣リストが受信されうる。参照番号１２０６では、使用可能なパイロットが発見されたか否かが判定される。参照番号１２０６において、使用可能なパイロットが発見されたと判定されると、参照番号１２０８において、処理が終了しうる。一方、システム時間がＬＴＥ  ｅノードＢによって提供されていない場合、および／または、使用可能なパイロットが発見されていない場合、参照番号１２１０では、ＲＧＳ−ＰＳからのシステム時間が未だに使用可能であると判定される。１つの態様では、ＲＧＳ−ＰＳからのシステム時間は、ＲＧＳ−ＰＳシステム時間に関連付けられた時間スタンプが時間しきい値未満である場合に使用可能であると考えられうる。別の態様では、ＲＧＳ−ＰＳからのシステム時間は、ＲＧＳ−ＰＳシステム時間値がＵＥによって維持されている場合に使用可能であると考えられうる。参照番号１２１０において、ＲＧＳ−ＰＳによって提供されたシステム時間が使用可能であると判定された場合、参照番号１２１２において、提供されたシステム時間が、パイロットを求めて近隣リストを探索するために使用されうる。参照番号１２１４において、使用可能なパイロットが発見されたと判定されると、参照番号１２０８において、処理は終了しうる。
【００６５】
対照的に、参照番号１２１４において、使用可能なパイロットが発見されなかったと判定されると、参照番号１２１６において、パイロットを求める探索のために、リマインダ・セットが使用可能であると判定される。１つの態様では、リマインダ・セットは、近隣リストに関連付けられたパイロット・インクリメント値を処理することによって取得されうる。参照番号１２１６において、リマインダ・セットが存在すると判定されると、参照番号１２１８において、任意のセットがしきい値を超えるＲｘ  ＡＧＣを有するか否かが判定される。参照番号１２１８において、何れかのセットが、しきい値を超えるＡＧＣを有していると判定されると、処理は、参照番号１２０２に関して記載されているように、１または複数のリマインダ・セットにおいて実行されうる。
【００６６】
対照的に、参照番号１２１８において、リマインダ・セットが、しきい値を超えるＲｘ  ＡＧＣ値を有していないと判定されると、参照番号１２２０において、フル獲得処理が実行されるべきであるか否かが判定される。フル獲得処理は、図９を参照して説明される。参照番号１２２０において、フル獲得処理が実行されるべきであれば、参照番号１２２２において、何れかのチャネルが、しきい値を超えるＲｘ  ＡＧＣ値を有しているか否かが判定される。参照番号１２２２において、１または複数のチャネルがしきい値を超えていると判定されると、参照番号１２２４において、フル獲得処理が実行されうる。一方、フル獲得処理が実行されるべきではないか、および／または、どのチャネルもしきい値を超えるＲｘ  ＡＧＣ値を有していないのであれば、参照番号１２２６において、１または複数のチャネルが、Ｔｏ−Ｓｃａｎ−Ｌａｔｅｒリストに格納されうる。
【００６７】
図１３は、典型的な装置１００の機能を例示する概念ブロック図１３００である。装置１００は、ＬＴＥ  ｅノードＢまたは使用可能なシステムのうちの少なくとも１つから、複数のＣＳＦＢパラメータのうちの少なくとも１つを取得しうるモジュール１３０２と、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行しうるモジュール１３０４と；を含む。
【００６８】
１つの構成では、無線通信のための装置１００は、ＬＴＥ  ｅノードＢまたは使用可能なシステムのうちの少なくとも１つから、複数のＣＳＦＢパラメータのうちの少なくとも１つを取得する手段と、ここで、複数のＣＳＦＢパラメータは、チャネル・リスト、システム時間、および近隣リストを備える；取得された複数のＣＳＦＢパラメータのうちの少なくとも１つに基づいて、１または複数のシステム獲得動作を実行する手段と；を含む。別の構成では、装置１００は、使用可能なシステムから複数のＣＳＦＢパラメータのうちの少なくとも１つを取得する手段と、ここで、使用可能なシステム・パラメータは、帯域クラスおよびチャネル値、システム時間値、アクティブ・セット、および近隣セットを含む；使用可能なシステム・パラメータを、関連付けられたタイムスタンプ値とともに格納する手段と；タイムスタンプ値が時間しきい値未満である場合、使用可能なシステム・パラメータが使用可能であると判定する手段と；を含む。別の構成では、装置１００は、使用可能なシステム・パラメータを、使用可能な状態に維持する手段を含む。別の構成では、装置１００は、パイロット信号を探索するために、チャネル・リストに提供された１または複数のチャネルへ調節することによって、プレ・ハッシュ処理を実行する手段を含む。別の構成では、装置１００は、プレ・ハッシュ処理の結果、使用可能なパイロットにならなかったと判定する手段と、チャネル・リスト内の一次チャネルへ調節する手段と、システム時間および近隣リストを用いて、一次チャネルのためのパイロット探索およびスキャン処理を実行する手段と、を含む。別の構成では、装置１００は、近隣リストにパイロット・オフセット・インクリメント値が含まれていると判定する手段と、パイロットを求めて、パイロット・オフセット・インクリメント値を用いて、リマインダ・セットを探索する手段と、を含む。別の構成では、装置１００は、プレ・ハッシュ処理の結果、使用可能なパイロットにならなかったと判定する手段と、チャネル・リスト内の一次チャネルへ調節する手段と、受信した自動利得制御値が、一次チャネルの電力しきいを超えていると判定する手段と、を含む。別の構成では、装置１００は、プレ・ハッシュ処理の結果、使用可能なパイロットにならなかったと判定する手段と、チャネル・リスト内の各チャネルへ調節する手段と、各チャネルについて、受信した自動利得制御値が、電力しきいを超えていないと判定する手段と、好適ローミング・リストを用いて、システム獲得を実行する手段と、を含む。別の構成では、装置１００は、少なくとも１つのＰＲＬ値を、サービス提供しているｅノードＢへ送信する手段を含む。サービス提供しているｅノードＢは、使用可能なシステム・パラメータを、ＰＲＬ値を用いて更新するために、少なくとも１つの、送信されたＰＲＬ値を用いる。前述された手段は、前述された手段によって詳述された機能を実行するように構成された処理システム１１４である。前述したように、処理システム１１４は、ＴＸプロセッサ７６８、ＲＸプロセッサ７５６、およびコントローラ／プロセッサ７５９を含みうる。これゆえ、１つの構成では、前述された手段は、前述された手段によって���述された機能を実行するように構成されたＴＸプロセッサ７６８、ＲＸプロセッサ７５６、およびコントローラ／プロセッサ７５９でありうる。
【００６９】
開示された処理のステップの具体的な順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００７０】
前述された記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
以下に、本願出願の当初の特許請求の範囲に記載された発明を付記する。
［Ｃ１］  無線通信のための方法であって、
ＬＴＥ  ｅノードＢまたは使用可能なシステムのうちの少なくとも１つから、複数の回路切換フォールバック（ＣＳＦＢ）パラメータのうちの少なくとも１つを取得することと、ここで、前記複数のＣＳＦＢパラメータは、チャネル・リスト、システム時間、および近隣リストを備える；
前記取得された複数のＣＳＦＢパラメータのうちの少なくとも１つに基づいて、１または複数のシステム獲得動作を実行することと；
を備える方法。
［Ｃ２］  前記使用可能なシステムは、最近の良好なシステム（ＲＧＳ：recently good system）、好適なシステム（ＰＳ：preferred system）、またはホーム・システムのうちの少なくとも１つを備える、Ｃ１に記載の方法。
［Ｃ３］  前記１または複数のシステム獲得動作は、フル獲得処理または包括的な獲得処理のうちの何れかを備える、Ｃ１に記載の方法。
［Ｃ４］  前記取得することはさらに、
前記使用可能なシステムから、前記複数のＣＳＦＢパラメータのうちの少なくとも１つを取得することと、ここで、使用可能なシステム・パラメータは、帯域クラスおよびチャネル値、システム時間値、アクティブ・セット、および近隣セットを含む；
前記使用可能なシステム・パラメータを、関連付けられたタイムスタンプ値とともに格納することと；
前記タイムスタンプ値が時間しきい値未満である場合、前記使用可能なシステム・パラメータが使用可能であると判定することと；
を備えるＣ１に記載の方法。
［Ｃ５］  前記使用可能なシステム・パラメータを、使用可能な状態に維持すること、をさらに備えるＣ４に記載の方法。
［Ｃ６］  前記取得することは、前記チャネル・リストを取得することを備え、
前記１または複数のシステム獲得動作を実行することはさらに、パイロット信号を探索するために、前記チャネル・リストに提供された１または複数のチャネルへ調節することによって、プレ・ハッシュ処理を実行することを備える、Ｃ１に記載の方法。
［Ｃ７］  前記取得することは、前記システム時間および前記近隣リストを取得することを備え、  前記方法はさらに、
前記プレ・ハッシュ処理の結果、使用可能なパイロットにならなかったと判定することと、
前記チャネル・リスト内の一次チャネルへ調節することと、
前記システム時間および前記近隣リストを用いて、前記一次チャネルのためのパイロット探索およびスキャン処理を実行することと、
を備えるＣ６に記載の方法。
［Ｃ８］  前記パイロット探索およびスキャン処理はさらに、
前記近隣リストにパイロット・オフセット・インクリメント値が含まれていると判定することと、
パイロットを求めて、前記パイロット・オフセット・インクリメント値を用いて、リマインダ・セットを探索することと
を備える、Ｃ７に記載の方法。
［Ｃ９］  前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていることを判定するか、または、各チャネルについて、受信した自動利得制御値が、電力しきいを超えていないことを判定することの何れかを行うことと、
好適ローミング・リストを用いて、システム獲得を実行することと、
をさらに備えるＣ６に記載の方法。
［Ｃ１０］  少なくとも１つのＰＲＬ値を、サービス提供しているｅノードＢへ送信することをさらに備え、
前記サービス提供しているｅノードＢは、前記使用可能なシステム・パラメータを、前記ＰＲＬ値を用いて更新するために、前記少なくとも１つの、送信されたＰＲＬ値を用いる、Ｃ９に記載の方法。
［Ｃ１１］  無線通信のための装置であって、
ＬＴＥ  ｅノードＢまたは使用可能なシステムのうちの少なくとも１つから、複数のＣＳＦＢパラメータのうちの少なくとも１つを取得する手段と、ここで、前記複数のＣＳＦＢパラメータは、チャネル・リスト、システム時間、および近隣リストを備える；
前記取得された複数のＣＳＦＢパラメータのうちの少なくとも１つに基づいて、１または複数のシステム獲得動作を実行する手段と；
を備える装置。
［Ｃ１２］  前記使用可能なシステムは、最近の良好なシステム（ＲＧＳ：recently good system）、好適なシステム（ＰＳ：preferred system）、またはホーム・システムのうちの少なくとも１つを備える、Ｃ１１に記載の装置。
［Ｃ１３］  前記１または複数のシステム獲得動作は、フル獲得処理または包括的な獲得処理のうちの何れかを備える、Ｃ１１に記載の装置。
［Ｃ１４］  前記取得する手段はさらに、
前記使用可能なシステムから、前記複数のＣＳＦＢパラメータのうちの少なくとも１つを取得する手段と、ここで、使用可能なシステム・パラメータは、帯域クラスおよびチャネル値、システム時間値、アクティブ・セット、および近隣セットを含む；
前記使用可能なシステム・パラメータを、関連付けられたタイムスタンプ値とともに格納する手段と；
前記タイムスタンプ値が時間しきい値未満である場合、前記使用可能なシステム・パラメータが使用可能であると判定する手段と；
を備えるＣ１１に記載の装置。
［Ｃ１５］  前記使用可能なシステム・パラメータを、使用可能な状態に維持する手段、をさらに備えるＣ１４に記載の装置。
［Ｃ１６］  前記取得する手段は、前記チャネル・リストを取得することを備え、
前記１または複数のシステム獲得動作を実行する手段はさらに、パイロット信号を探索するために、前記チャネル・リストに提供された１または複数のチャネルへ調節することによって、プレ・ハッシュ処理を実行する手段を備える、Ｃ１１に記載の装置。
［Ｃ１７］  前記取得する手段は、前記システム時間および前記近隣リストを取得する手段を備え、  前記装置はさらに、
プレ・ハッシュ処理の結果、使用可能なパイロットにならなかったと判定する手段と、  前記チャネル・リスト内の一次チャネルへ調節する手段と、
前記システム時間および前記近隣リストを用いて、前記一次チャネルのためのパイロット探索およびスキャン処理を実行する手段と
を備える、Ｃ１６に記載の装置。
［Ｃ１８］  前記パイロット探索およびスキャン処理はさらに、
パイロット・オフセット・インクリメント値が前記近隣リストに含まれていると判定する手段と、
パイロットを求めて、前記パイロット・オフセット・インクリメント値を用いて、リマインダ・セットを探索する手段と
を備える、Ｃ１７に記載の装置。
［Ｃ１９］  プレ・ハッシュ処理の結果、使用可能なパイロットにならなかったと判定する手段と、  前記チャネル・リスト内の一次チャネルへ調節する手段と、
受信した自動利得制御値が、前記一次チャネルの電力しきいを超えていると判定する手段、または、各チャネルについて、受信した自動利得制御値が、電力しきいを超えていないと判定する手段と、
好適ローミング・リスト（ＰＲＬ：preferred roaming list）を用いて、システム獲得を実行する手段と、
をさらに備えるＣ１６に記載の装置。
［Ｃ２０］  少なくとも１つのＰＲＬ値を、サービス提供しているｅノードＢへ送信する手段をさらに備え、
前記サービス提供しているｅノードＢは、前記使用可能なシステム・パラメータを、前記ＰＲＬ値を用いて更新するために、前記少なくとも１つの、送信されたＰＲＬ値を用いる、Ｃ１９に記載の装置。
［Ｃ２１］  コンピュータ・プログラム製品であって、
ＬＴＥ  ｅノードＢまたは使用可能なシステムのうちの少なくとも１つから、複数のＣＳＦＢパラメータのうちの少なくとも１つを取得することと、ここで、前記複数のＣＳＦＢパラメータは、チャネル・リスト、システム時間、および近隣リストを備える；
前記取得された複数のＣＳＦＢパラメータのうちの少なくとも１つに基づいて、１または複数のシステム獲得動作を実行することと；
のためのコードを備えるコンピュータ読取可能な媒体を備える、コンピュータ・プログラム製品。
［Ｃ２２］  前記使用可能なシステムは、最近の良好なシステム（ＲＧＳ：recently good system）、好適なシステム（ＰＳ：preferred system）、またはホーム・システムのうちの少なくとも１つを備える、Ｃ２１に記載のコンピュータ・プログラム製品。
［Ｃ２３］  前記１または複数のシステム獲得動作は、フル獲得処理または包括的な獲得処理のうちの何れかを備える、Ｃ２１に記載のコンピュータ・プログラム製品。
［Ｃ２４］  前記コンピュータ読取可能な媒体はさらに、
前記使用可能なシステムから、前記複数のＣＳＦＢパラメータのうちの少なくとも１つを取得することと、ここで、使用可能なシステム・パラメータは、帯域クラスおよびチャネル値、システム時間値、アクティブ・セット、および近隣セットを含む；
前記使用可能なシステム・パラメータを、関連付けられたタイムスタンプ値とともに格納することと；
前記タイムスタンプ値が時間しきい値未満である場合、前記使用可能なシステム・パラメータが使用可能であると判定することと；
のためのコードを備える、Ｃ２１に記載のコンピュータ・プログラム製品。
［Ｃ２５］  前記コンピュータ読取可能な媒体はさらに、
前記チャネル・リストを取得することと、
パイロット信号を探索するために、前記チャネル・リストに提供された１または複数のチャネルへ調節することによって、プレ・ハッシュ処理を実行することと
のためのコードを備える、Ｃ２１に記載のコンピュータ・プログラム製品。
［Ｃ２６］  前記複数のＣＳＦＢパラメータのうちの少なくとも１つを取得するためのコードを備えるコンピュータ読取可能な媒体は、
前記システム時間および前記近隣リストを取得するためのコードを備え、
前記コンピュータ読取可能な媒体はさらに、
前記プレ・ハッシュ処理の結果、使用可能なパイロットにならなかったと判定することと、
前記チャネル・リスト内の一次チャネルへ調節することと、
前記システム時間および前記近隣リストを用いて、前記一次チャネルのためのパイロット探索およびスキャン処理を実行することと
のためのコードを備える、Ｃ２５に記載のコンピュータ・プログラム製品。
［Ｃ２７］  前記コンピュータ読取可能な媒体はさらに、
前記近隣リストにパイロット・オフセット・インクリメント値が含まれていると判定することと、
パイロットを求めて、前記パイロット・オフセット・インクリメント値を用いて、リマインダ・セットを探索することと
のためのコードを備える、Ｃ２６に記載のコンピュータ・プログラム製品。
［Ｃ２８］  前記コンピュータ読取可能な媒体はさらに、
前記プレ・ハッシュ処理の結果、使用可能なパイロットにならなかったと判定することと、
前記チャネル・リスト内の一次チャネルへ調節することと、
受信した自動利得制御値が、前記一次チャネルの電力しきいを超えていると判定すること、または、各チャネルについて、受信した自動利得制御値が、電力しきいを超えていないと判定することのうちの何れかを行うことと、
好適ローミング・リストを用いて、システム獲得を実行することと
のためのコードを備える、Ｃ２５に記載のコンピュータ・プログラム製品。
［Ｃ２９］  前記コンピュータ読取可能な媒体はさらに、少なくとも１つのＰＲＬ値を、サービス提供しているｅノードＢへ送信するためのコードを備え、
前記サービス提供しているｅノードＢは、前記使用可能なシステム・パラメータを、前記ＰＲＬ値を用いて更新するために、前記少なくとも１つの、送信されたＰＲＬ値を用いる、Ｃ２８に記載のコンピュータ・プログラム製品。
［Ｃ３０］  無線通信のための装置であって、
ＬＴＥ  ｅノードＢまたは使用可能なシステムのうちの少なくとも１つから、複数のＣＳＦＢパラメータのうちの少なくとも１つを取得し、ここで、前記複数のＣＳＦＢパラメータは、チャネル・リスト、システム時間、および近隣リストを備える；
前記取得された複数のＣＳＦＢパラメータのうちの少なくとも１つに基づいて、１または複数のシステム獲得動作を実行する；
ように構成された処理システムを備える、装置。
［Ｃ３１］  前記使用可能なシステムは、最近の良好なシステム（ＲＧＳ：recently good system）、好適なシステム（ＰＳ：preferred system）、またはホーム・システムのうちの少なくとも１つを備える、Ｃ３０に記載の装置。
［Ｃ３２］  前記１または複数のシステム獲得動作は、フル獲得処理または包括的な獲得処理のうちの何れかを備える、Ｃ３０に記載の装置。
［Ｃ３３］  前記処理システムはさらに、
前記使用可能なシステムから、前記複数のＣＳＦＢパラメータのうちの少なくとも１つを取得し、ここで、前記使用可能なシステム・パラメータは、帯域クラスおよびチャネル値、システム時間値、アクティブ・セット、および近隣セットを含む；
前記使用可能なシステム・パラメータを、関連付けられたタイムスタンプ値とともに格納し；
前記タイムスタンプ値が時間しきい値未満である場合、前記使用可能なシステム・パラメータが使用可能であると判定する；
ように構成された、Ｃ３０に記載の装置。
［Ｃ３４］  前記処理システムはさらに、前記使用可能なシステム・パラメータを、使用可能な状態に維持するように構成された、Ｃ３３に記載の装置。
［Ｃ３５］  前記処理システムはさらに、前記チャネル・リストを取得し、
パイロット信号を探索するために、前記チャネル・リストに提供された１または複数のチャネルへ調節することによって、プレ・ハッシュ処理を実行するように構成された、Ｃ３０に記載の装置。
［Ｃ３６］  前記処理システムはさらに、前記システム時間および前記近隣リストを取得するように構成され、
前記処理システムはさらに、
前記プレ・ハッシュ処理の結果、使用可能なパイロットにならなかったと判定し、
前記チャネル・リスト内の一次チャネルへ調節し、
前記システム時間および前記近隣リストを用いて、前記一次チャネルのためのパイロット探索およびスキャン処理を実行する
ように構成された、Ｃ３５に記載の装置。
［Ｃ３７］  前記処理システムはさらに、
前記近隣リストにパイロット・オフセット・インクリメント値が含まれていることを判定し、
パイロットを求めて、前記パイロット・オフセット・インクリメント値を用いて、リマインダ・セットを探索する
ように構成された、Ｃ３６に記載の装置。
［Ｃ３８］  前記処理システムはさらに、
前記プレ・ハッシュ処理の結果、使用可能なパイロットにならなかったと判定し、
前記チャネル・リスト内の一次チャネルへ調節し、
受信した自動利得制御値が、前記一次チャネルの電力しきいを超えていることを判定するか、または、各チャネルについて、受信した自動利得制御値が、電力しきいを超えていないことを判定し、
好適ローミング・リストを用いて、システム獲得を実行する
ように構成された、Ｃ３５に記載の装置。
［Ｃ３９］  前記処理システムはさらに、少なくとも１つのＰＲＬ値を、サービス提供しているｅノードＢへ送信するように構成され、
前記サービス提供しているｅノードＢは、前記使用可能なシステム・パラメータを、前記ＰＲＬ値を用いて更新するために、前記少なくとも１つの、送信されたＰＲＬ値を用いる、Ｃ３８に記載の装置。
【図１】
0005866374.tif 000002
【図２】
0005866374.tif 000003
【図３】
0005866374.tif 000004
【図４】
0005866374.tif 000005
【図５】
0005866374.tif 000006
【図６】
0005866374.tif 000007
【図７】
0005866374.tif 000008
【図８】
0005866374.tif 000009
【図９】
0005866374.tif 000010
【図１０】
0005866374.tif 000011
【図１１】
0005866374.tif 000012
【図１２】
0005866374.tif 000013
【図１３】
0005866374.tif 000014